(57)【特許請求の範囲】
【請求項１】
窓枠の底面に長手方向に沿って備えられ、幅方向に沿って所定の距離だけ離隔して配置される固定窓用レール及び移動窓用レールと、
前記固定窓用レールに据え付けられる固定窓と、
前記移動窓用レールに据え付けられる移動窓フレーム、及び、前記移動窓フレームの内部に備えられる採光窓から構成されて、前記移動窓用レールに沿って移動することで開閉されて換気が行われるようにする移動窓と
を含んでなる建具において、
前記移動窓フレームの下部の一の側に設置され、内部に空間が形成され、底面が開放され、前面に所定の開放部が形成される四角または長方形のケース（１００）と、
前記ケースの内部に、回転軸が地面を向くように備えられ、前記回転軸の外周面に螺旋状のワームが形成された駆動モータ（２００）と、
前記ケースの内部に備えられる駆動軸に嵌め合わされて結合され、前記ワームと噛み合わされて駆動モータの回転力により回転されるワームホイール（３００）と、
前記駆動軸に結合され、外周面が前記移動窓用レールに密着しており、前記駆動モータの動力により固定窓用レールに沿って回転することで移動窓を開閉する駆動ホイール（４００）と、を含んでなり、
前記駆動モータが正方向または逆方向に回転すると、駆動ホイールが移動窓用レールに沿って転がり運動することで移動窓を開閉して、室内の換気が行われるようにしたことを特徴とする自動開閉による自動換気が可能な引き戸式建具。
【請求項２】
前記ワームホイールと駆動ホイールとの間には、前記駆動軸に嵌め合わされ、駆動モータの動力により回転され、前記駆動ホイールと対向する外端面に、一つまたはそれ以上の嵌合突起が形成された円板状のクラッチが備えられ、
前記駆動軸の端部には、所定の長さと直径で形成される円柱の形態の補助軸が延長形成され、
前記駆動ホイールは、中央に形成される貫通孔を通じて前記補助軸に嵌め合わされ、前記嵌合突起が内挿され得るように、対応する位置に嵌合穴が形成され、
前記駆動ホイールとクラッチとの間には、弾性力を提供する弾性スプリングが備えられ、
前記クラッチは電磁石からなり、前記駆動ホイールは金属材質からなり、
前記クラッチに電気が印加されると、クラッチが駆動ホイールの側に移動して、弾性スプリングが圧縮されることで、前記嵌合突起が嵌合穴に内挿されて、駆動モータの動力による駆動ホイールの自動開閉が可能となるように構成されており、
電気が遮断されると、弾性スプリングの弾発力によってクラッチが元の位置に復帰されることで、駆動ホイールが分離して、補助軸に沿って回転可能な状態となり、前記移動窓の手動開閉が可能となるように構成されていることを特徴とする請求項１に記載の自動開閉による自動換気が可能な引き戸式建具。
【請求項３】
前記ケースの一の側の外端面に備えられて前記駆動モータと電気的に連結されており、駆動モータの駆動時に引き込まれ、停止時に引き出されるロックピンが端部に備えられるソレノイドバルブと、
前記窓枠の底面に備えられるとともに、固定窓用レールと移動窓用レールとの間に備えられており、前記ロックピンが挿入される二つまたはそれ以上のロックピン挿入穴が、長手方向に沿って配列形成される、所定の長さのロックピン固定片と、を含み、
前記駆動モータが停止した状態で前記移動窓を強制開放すると、前記ロックピンが引き出されることでロックピン挿入穴に自然に挿入され、移動窓の動きを遮断することで室内を保護することができるようにしたことを特徴とする請求項１に記載の自動開閉による自動換気が可能な引き戸式建具。
【請求項４】
前記駆動モータと電気的に連結されるコントローラが備えられることを特徴とする請求項１に記載の自動開閉による自動換気が可能な引き戸式建具。
【請求項５】
外部の温度を感知する温度センサと、湿度を感知する湿度センサと、光を認識するか光の量を感知する照度センサと、火災時に発生する煙や火花を感知する火災感知センサと、大気中の汚染の程度を感知する大気汚染センサ及び特定のガスの漏出を感知するガスセンサと、
前記センサの作動条件を設定するか動作を制御する制御部と、を含んでなり、
前記建具に一つまたはそれ以上のセンサが設置されるとともに、前記駆動モータと連動されるようにして、センサの作動に応じて自動換気が行われるようにしたことを特徴とする請求項１ないし４のいずれかに記載の自動開閉による自動換気が可能な引き戸式建具。
【発明の詳細な説明】
【技術分野】
【０００１】
本発明は、建具(窓、並びに戸)に関するものであり、窓枠の底面に長手方向に沿って備えられて、幅方向に沿って所定の距離だけ離隔して配置される固定窓用レール及び移動窓用レールと、前記固定窓用レールに据え付けられる固定窓と、前記移動窓用レールに据え付けられる移動窓フレーム、及び、前記移動窓フレームの内部に備えられる採光窓から構成されて、前記移動窓用レールに沿って移動することで開閉されて換気が行われるようにする移動窓とを含んでなる建具において、前記移動窓フレームの下部の一の側に設置され、内部に空間が形成され、底面が開放され、前面に所定の開放部が形成される四角または長方形のケースと、前記ケースの内部に、回転軸が地面を向くように備えられ、前記回転軸の外周面に螺旋状のワームが形成された駆動モータと、前記ケースの内部に備えられる駆動軸に嵌め合わされて結合され、前記ワームと噛み合わされて、駆動モータの回転力を通じて回転されるワームホイールと、前記駆動軸に結合されて外周面が前記移動窓用レールに密着して、前記駆動モータの動力を通じて固定窓用レールに沿って回転しながら移動窓を開閉する駆動ホイール、を含んでなり、前記駆動モータが正方向または逆方向に回転すると、駆動ホイールが移動窓用レールに沿って転がり運動することで移動窓を開閉して室内の換気が行われるようにしたことを特徴とする自動開閉による自動換気が可能な引き戸式（スライド式）建具に関する。
【背景技術】
【０００２】
通常、建具は、建物内部を外部と遮断させるために、窓や出入口などの開口部に設置される各種の窓やドアを指称するのであり、建築物において、建具は、室内と室外を隔離させる壁の役割を遂行すると同時に、太陽光と新鮮な外部空気の供給通路となり、室内の人に眺望感と開放感を感じさせる必須の構成要素である。
【０００３】
このような建具は、大きく、開き戸（hinged door）式と引き戸（sliding door）式（スライド式）に区分されるが、前記引き戸式の建具は、窓枠（または戸枠）の上端・下端に形成されているレールを、前記窓（または戸）の上端・下端に形成されたレール用凹部と結合して、横方向に移動することで開閉し得る構造に形成される。
【０００４】
最近は、建築技術及び建築副資材の性能の向上によって、窓や戸は気密性に優れ、室外の空気の流入は勿論のこと、室内の空気の流出が緊密に統制されて、冷暖房の効率は優れている。しかし、換気不足によってバルコニーの床と壁体、窓ガラスなどにカビの繁殖を招いて衛生環境を脅かしたり、室内に各種のガス、埃、煙、臭気、細菌などが常に共存することから呼吸器疾患を引き起こしたりする原因となる。それだけでなく、頻繁な黄砂と微細埃の急増、料理や掃除機によって発生する微細埃に対する関心が非常に高くなっており、より便利で快適な室内環境を提供するための自動換気装置の需要が急増しているのが実情である。また、新築の建物の場合、換気が不充分な密閉された空間で長時間過ごすと、壁体や室内外装などに内包されたホルムアルデヒド、有機溶剤、ガス及び埃などの、人体に有害な環境汚染物質を内包した状態で放出されることにより、頭痛、喘息、アトピー性皮膚炎などのといった症状のシックハウス症候群によって健康上の深刻な障害を誘発させる。しかし、このような問題点を改善するためには、単に、建具（窓、戸）を周期的に開放して、室内空気を除去及び更新する。
【０００５】
ところが、既存の換気施設は体積が大きく、建物毎に建具の規格が異なるため、生産工場で注文製作することによってのみ製品が生産供給されており、広く大衆化されるには非常に限界があり、建具を開放して室内空間の換気機能を遂行するにあたり、台風、夕立、黄砂などのような気象の変化によって、雨水または砂、土といった異物が室内に容易に流入され得るだけでなく、建具を通じて流入される空気の流れが自然でないことに伴い、急な室内気温の偏差によって、熱効率が急激に低下し得るだけでなく、免疫性が弱い老人及び乳児、患者の健康に、致命的な悪影響を及ぼすようになる。
【０００６】
室内空間の換気不足を改善するために、従来は建具を直接開放したが、最近になって自動で建具を開放して換気が行われるようにする機械装置を使用している。
【０００７】
下記特許文献１の“窓自動開閉装置”（韓国公開特許第１０−２００７−００２３９１５号）は、窓枠に設置されて左右にスライドすることで開閉される窓において、前記窓の上部に所定の間隔で離隔して設置されて、内部には所定の空間を備え、前面には窓の開閉方向に沿って長方形状の移動路を形成したケーシングと、前記ケーシングの内部空間に装着されて駆動力を発生して前記移動路に沿って移動することで、前記窓を窓枠から左右に往復移動させるための駆動力を発生する駆動手段、及び、前記駆動手段と窓を連結して前記駆動手段の駆動力を前記窓に伝達するための伝導用連結体とを含んで構成される。ケーシングと連結される連結手段が前記窓の一側面に固定結合されることで、非常時に迅速に前記窓を手動で開放することができないため、人命被害を発生させる場合がある。また、前記窓自動開閉装置を一つ以上さらに連動して使用する場合、一つの窓が故障やその他の状況などで作動が不可能になると、連動されている残りの前記窓のすべての開閉が不可能となり、前記窓の自動開閉機能が喪失して使用の便宜性が低下するという問題点があった。
【０００８】
また、多くの付属品からなっているため、施工及びメンテナンスは専門技能工または熟練した技術者を必要とするという面倒さがあり、また一方で、いずれか一つの部品が毀損したり故障が発生したりした際にメンテナンスが複雑で、建具開閉装置の全体を取り替えて装着する場合が頻繁に発生し、これによってコストがかさむという問題点があった。
【０００９】
それだけでなく、前記窓自動開閉装置は、火災またはその他の災害発生などによって前記窓自動開閉装置の電源印加が遮断される場合、非常電力が供給されるように構成されていないため、前記窓自動開閉装置の作動が不可能であるという問題点があった。
【００１０】
一方、最近、エネルギー消費低減のためには、住居建物の断熱性能の向上により、断熱はよくなったが、自然換気を困難にして室内空気の質が悪化するという問題点がある。従って、快適な室内空気のために、空気清浄器による空気浄化よりも規則的な自然換気が非常に重要と考えられているところ、住居建物の室内空気の質を改善するために、住居建物の自然換気または機械換気設備の設置を法的に義務化したのだが、これは、相対的に住居建物のエネルギー消費量を増加させるという問題点があった。
【発明の概要】
【発明が解決しようとする課題】
【００１１】
本発明は、上記のような問題点を解決するために発明されたもので、自動で開閉が可能となるように構成されて自動換気による室内の空気浄化が可能となるように構成される引き戸式建具を提供することにその目的がある。
【００１２】
また、本発明は単純で軽量化して作動性に優れ、建具の自動開閉が行われるようにする構成の露出を極小化することで全体的に美麗な外観を提供することができる引き戸式建具を提供することにその目的がある。
【課題を解決するための手段】
【００１３】
上記のような目的のために、本発明は窓枠の底面に長手方向に沿って備えられ、幅方向に沿って所定の距離だけ離隔して配置される固定窓用レール及び移動窓用レールと、前記固定窓用レールに据え付けられる固定窓と、前記移動窓用レールに据え付けられる移動窓フレーム、及び、前記移動窓フレームの内部に備えられる採光窓から構成されて、前記移動窓用レールに沿って移動することで開閉されて換気が行われるようにする移動窓とを含んでなる建具において、前記移動窓フレームの下部の一の側に設置され、内部に空間が形成され、底面が開放され、前面に所定の開放部が形成される四角または長方形のケースと、前記ケースの内部に回転軸が地面に向かって備えられ、前記回転軸の外周面に螺旋状のワームが形成される駆動モータと、前記ケースの内部に備えられる駆動軸に嵌め合わされて結合され、前記ワームと噛み合わされて駆動モータの回転力により回転されるワームホイールと、前記駆動軸に結合され、外周面が前記移動窓用レールに密着して、前記駆動モータの動力により固定窓用レールに沿って回転することで移動窓を開閉する駆動ホイールと、を含んでなり、前記駆動モータが正方向または逆方向に回転すると、駆動ホイールが移動窓用レールに沿って転がり運動することで移動窓を開閉して室内の換気が行われるようにしたことを特徴とする。
【００１４】
また、本発明において、前記ワームホイールと駆動ホイールとの間には前記駆動軸に嵌め合わされて駆動モータの動力により回転され、前記駆動ホイールと対向する外端面に一つまたはそれ以上の嵌合突起が形成される円板状のクラッチが備えられ、前記駆動軸の端部には所定の長さと直径で形成される円柱の形態の補助軸が延長形成され、前記駆動ホイールは、中央に形成される貫通孔を通じて前記補助軸に嵌め合わされ、前記嵌合突起が内挿され得るように、対応する位置に嵌合穴が形成され、前記駆動ホイールとクラッチとの間には弾性力を提供する弾性スプリングが備えられ、前記クラッチは電磁石からなり、前記駆動ホイールは金属材質からなり、前記クラッチに電気が印加されると、クラッチが駆動ホイール側に移動して弾性スプリングが圧縮されながら前記嵌合突起が嵌合穴に内挿されて駆動モータの動力による駆動ホイールの自動開閉が可能となるように構成され、電気が遮断されると、弾性スプリングの弾発力によってクラッチが元の位置に復帰されることで、駆動ホイールが分離して、補助軸に沿って回転可能な状態となり、前記移動窓の手動開閉が可能となるように構成されることを特徴とする。
【００１５】
また、本発明は、前記ケースの一の側の外端面に備え付けられて前記駆動モータと電気的に連結されていて、駆動モータの駆動時に引き込まれ、停止時に引き出されるロックピンが端部に備えられるソレノイドバルブと、前記窓枠の底面に備えられるとともに固定窓用レールと移動窓用レールとの間に備えられて、前記ロックピンが挿入される二つまたはそれ以上のロックピン挿入穴が長手方向に沿って配列形成される所定の長さのロックピン固定片を含み、前記駆動モータが停止した状態で前記移動窓を強制開放すると、前記ロックピンが引き出されることでロックピン挿入穴に自然に挿入され、移動窓の動きを遮断することで室内を保護することができるようにしたことを特徴とする。
【００１６】
また、本発明は、前記駆動モータと電気的に連結されるコントローラが備えられることを特徴とする。
【００１７】
また、本発明は、外部の温度を感知する温度センサと、湿度を感知する湿度センサと、光を認識するか光の量を感知する照度センサと、火災時に発生する煙や火花を感知する火災感知センサと、大気中の汚染の程度を感知する大気汚染センサ及び特定のガスの漏出を感知するガスセンサと、前記センサの作動条件を設定するか動作を制御する制御部とを含んでなり、前記建具に一つまたはそれ以上のセンサが設置されるとともに、前記駆動モータと連動されるようにして、センサの作動に応じて自動換気が行われるようにしたことを特徴とする。
【発明の効果】
【００１８】
上記のように構成される本発明は、単純で軽量化されて作動性に優れるとともに、建具の自動開閉が行われるようにする構成の露出を極小化することで外観の美しさを追求することができ、移動窓の自動開閉による室内の自動換気が可能であるという長所があり、特に、駆動モータの制御により移動窓の開閉が可能なので、一般人だけでなく、体を自由に動かせない社会的弱者も他人の助けなしに便利に使用が可能であるという長所がある。
【００１９】
また、駆動ホイールとワームホイールとの間に備えられるクラッチを制御することで、移動窓を自動または手動で選択的に開閉することができるのであり、ロックピンが備えられるソレノイドバルブとロックピン固定片とを備えて、移動窓が開放された状態で外出しても室内を安全に保護することができるので、使用者に対して、外出時における心理的な安定感を与えることができるという長所がある。
【図面の簡単な説明】
【００２０】
【図１】本発明にしたがう自動開閉による自動換気が可能な引き戸式建具（スライド式の窓または戸）の例示図（１）。
【図２】本発明にしたがう自動開閉による自動換気が可能な引き戸式建具（スライド式の窓または戸）の例示図（２）。
【図３】本発明の実施例にしたがう、自動開閉による自動換気が行われる原理を説明するための例示図（１）。
【図４】本発明の実施例にしたがう、自動開閉による自動換気が行われる原理を説明するための例示図（２）。
【図５】本発明の実施例にしたがう、自動開閉による自動換気が行われる原理を説明するための例示図（３）。
【図６】本発明の他の実施例にしたがう、移動窓の強制開閉を防ぐ原理を説明するための例示図。
【発明を実施するための形態】
【００２１】
以下、添付の図面を参照しながら、本発明にかかる自動開閉による自動換気が可能な引き戸式建具について、より詳細に説明することにする。
【００２２】
本発明は、単純で軽量化されて作動性に優れており、建具の自動開閉が行われるようにする構成についての露出を極小化することができ、駆動モータの制御を通じて移動窓の開閉が可能であるので、一般人だけでなく、体を自由に動かせない社会的弱者も、他人の助けなしに便利に使用が可能になるようにしたことを技術的特徴とする、自動開閉による自動換気が可能な引き戸式建具に関する。
【００２３】
本発明における引き戸式建具１とは、(1) 窓枠２の底面に長手方向に沿って備えられて、幅方向に沿って所定の距離だけ離隔して配置される固定窓用レール３及び移動窓用レール４と、(2) 前記固定窓用レールに据え付けられる固定窓５と、(3) 前記移動窓用レールに据え付けられる移動窓フレーム１１、及び、前記移動窓フレームの内部に備えられる採光窓１３が備えられて、前記移動窓用レールに沿って移動することで開閉されて換気が行われるようにする移動窓１０と、を含んでなる、一般的な形態のスライド建具を言う。ここで、固定窓５とは、移動せずに固定された状態を維持する窓であり、移動窓１０とは、室内の換気のために長手方向に沿って移動する窓を言う。
【００２４】
前記移動窓フレーム１１の底面には、前記移動窓用レールを収容することができるように所定の形状のレール収容凹部１２が形成され、前記レール収容凹部の内部には前記移動窓用レール上で転がって移動窓を開閉し得るようにするローラ（未図示）が備えられる。
【００２５】
図１ないし２のように、本発明は、ケース１００と、駆動モータ２００と、ワームホイール３００及び駆動ホイール４００を含んでなる。
【００２６】
前記ケース１００は、前記移動窓フレーム１１の下部の一の側に設置されるものであり、内部に空間が形成され、底面が開放され、前面に所定の開放部が形成された、四角または長方形の形状からなる。
【００２７】
前記ケース１００は、移動窓の規格に応じて、移動窓フレーム１１の内部に完全に埋め込まれた形態にて設置することも可能であり、図１のように、移動窓フレーム１１の室内側の外壁面を所定の面積だけ切開した後に、その内部に、前記ケース１００の一部が埋め込まれ、一部は外部に露出するという形態にて設置されることもありうる。
【００２８】
前記ケースの材質は、本発明の権利範囲にて限定されず、例えば、軽量性と強度に優れた合成樹脂の材質で形成されうる。
【００２９】
前記駆動モータ２００は、回転軸２１０の外周面に螺旋状のワーム２１１が形成されたものであり、前記ケースの内部に、回転軸が地面に向くように備え付けられる。
【００３０】
前記ワームホイール３００は、前記ケースの内部に備えられる駆動軸３１０に嵌め合わされて結合され、前記ワーム２１１に噛み合わされることで、駆動モータ２００の回転力により回転される。
【００３１】
本発明における前記駆動モータ２００は、回転速度を減少させて力を増大させることで、重い窓や大きな窓を円滑に開閉することができるように、ギヤードモータ（減速モータ）を使用するのがよい。
【００３２】
例えば、瞬発力が劣る子供や老人が、窓枠や移動窓用レールに手や足を載せている際に移動窓１０が早く閉まると、手や足が挟まれて怪我をする可能性があるので、駆動モータ２００の回転速度を下げて置くのが好ましい。また、移動窓１０が大きくて重さがある場合、駆動モータの力をさらに増大させなければならないので、ギヤードモータを使用するのがよい。
【００３３】
また、本発明は、前記駆動モータ２００と電気的に連結されるコントローラ（未図示）を備えうる。前記コントローラは、使用者が移動窓の開閉面積を目視で確認しながら開閉することができるように、建具の一側に備えられうるのであり、無線通信方式が可能なリモコンの形態からなることもありうる。ここで、無線コントローラ（未図示）とは、狭い範囲にて、リモコンのように単に建具が設置された場所で駆動モータを駆動する装置である場合もありうるのであり、広い範囲で見ると、モノ（物）のインターネット（Ｉｎｔｅｒｎｅｔ  Ｏｆ  Ｔｈｉｎｇｓ．ＩＯＴ）を基盤として、外部から駆動モータを制御して建具の開放または閉鎖が行われるようにする電子機器（例えば、無線インターネットが可能なスマートフォンやノートパソコンなど）の場合もありうる。本発明は、前記コントローラを通じて移動窓１０を開閉することができ、特に体を自由に動かせない老人や子供も、容易に自動開閉による自動換気が可能なので、操作性と実用性に優れるという長所がある。
【００３４】
また、本発明は、前記駆動モータ２００を建具または室外に設置されるセンサ（未図示）と電気的に連動させ、センサの作動に応じて駆動モータを作動させることで、移動窓が開閉されるようにすることもできる。前記センサとしては、外部の温度を感知する温度センサと、湿度を感知する湿度センサと、光を認識するか光の量を感知する照度センサと、火災時に発生する煙や火花を感知する火災感知センサと、大気中の汚染の程度を感知する大気汚染センサ及び特定ガスの漏出を感知するガスセンサなどから構成され得るのであり、前記センサの作動条件を設定するか動作を制御する制御部を含むのでありうる。例えば、大気中の空気の汚染の程度を感知する空気汚染感知センサ（未図示）と、前記空気汚染感知センサとの送受信を行なう制御器（未図示）を設置した後に、前記制御器と駆動モータを電気的に連結するならば、前記制御器に事前に設定された値（空気の汚染の程度）に応じて、駆動モータが作動して窓の自動開閉による室内の換気が行われるようにすることもできる。
【００３５】
次に、前記駆動ホイール４００は、前記駆動軸３１０に結合され、外周面が前記移動窓用レール４に密着することで、前記駆動モータ２００の動力により、移動窓用レール４に沿って回転して移動窓１０を開閉する。
【００３６】
前記駆動ホイール４００は、前記移動窓用レール４に容易に据え付けられてレールに沿って転がり運動し得るように、対応して案内溝が形成されており、また、空回りしたり滑ったりして移動窓の開閉時に誤差が発生することを防ぎ、移動窓フレームとの摩擦力を向上させることができるように、ゴム、革、人工革、軟質のＰＶＣまたはシリコンのうちのいずれか一つの材質で形成される摩擦パッドが、外周面に嵌め合わされうるのであり、摩擦力をさらに向上させるために、外周面に複数の摩擦突起が形成されることもありうる。
【００３７】
上記のように構成される本発明は、前記駆動モータ２００が正方向または逆方向に回転することで、駆動ホイール４００を一の側または他の側に転がり運動させて、移動窓１０を自動で開閉することができ、このような構成により、室内の換気が自動で行われるようにすることができる。
【００３８】
次に、本発明にかかる引き戸式建具は、前記移動窓１０を自動または手動で選択的に開閉することができるように構成される。
【００３９】
このため本発明にかかる前記ワームホイールと駆動ホイールとの間には、前記駆動軸３１０に嵌め合わされて駆動モータ２００の動力を通じて回転されるとともに、前記駆動ホイール４００と対向する外端面に一つまたはそれ以上の嵌合突起５１０が形成されている、円板状のクラッチ５００が備えられる。
【００４０】
また、前記駆動軸３１０の端部には、所定の長さと直径で形成される円柱の形態の補助軸３２０が延長形成されており、前記駆動ホイール４００は、中央に形成される貫通孔４１０を通じて前記補助軸３２０に嵌め合わされるのであり、前記嵌合突起５１０が内挿され得るように、対応する位置に嵌合穴４２０が形成される。
【００４１】
また、前記駆動ホイール４００とクラッチ５００との間には、弾性力を提供する弾性スプリング（Ｓ）が備えられており、前記クラッチ５００は電磁石からなり、前記駆動ホイール４００は金属材質からなる。
【００４２】
また、前記駆動モータ２００は、前記クラッチ５００と電気的に連結される。
【００４３】
上記のように構成される本発明は、駆動モータ２００を駆動すると、電磁石からなるクラッチ５００が金属材質で形成される駆動ホイール４００側に移動する。前記クラッチが駆動ホイール側に移動すると、その間に挿入された弾性スプリング（Ｓ）は圧縮され、前記クラッチの外周面に形成された嵌合突起５１０が、駆動ホイールの一面に形成された嵌め合わせ穴４２０に内挿されることで、駆動ホイール４００とクラッチ５００とが噛み合わされて、駆動モータ２００の動力による移動窓の自動開閉が行われる。
【００４４】
反対に、前記クラッチ５００に印加された電気を遮断すると、圧縮されていた弾性スプリング（Ｓ）の弾発力によってクラッチ５００が元の位置に復帰されることで、駆動ホイール４００が分離する。このように、駆動ホイール４００がクラッチと分離した状態で駆動モータ２００が作動すると、ワームホイール３００と駆動軸３１０、補助軸３２０、クラッチ５００は回転されるが、駆動ホイール４００は回転しない。
【００４５】
ここで、前記駆動ホイール４００の嵌合穴４１０に補助軸３２０が嵌め合わされてはいるが、嵌合穴４２０と補助軸３２０とが同一の直径で形成されるため、補助軸が嵌合穴の内部で回転するだけで、駆動ホイール４００を回転させることができない。
【００４６】
従って、前記クラッチ５００が分離すると、駆動ホイール４００は、駆動モータの動力を通じては回転することができず、外力、例えば、人が移動窓を強制移動させる場合に、転がり運動が可能な状態となる。本発明は、このような構成を通じて、前記移動窓１０を手動で開閉することができる。
【００４７】
次に、本発明は、(1) 前記ケースの一の側の外周面に結合されるソレノイドバルブ６００と、(2) 前記窓枠の底面に備えられるとともに、固定窓用レールと移動窓用レールとの間に備えられる、所定の長さのロックピン固定片７００とを含んでなる。
【００４８】
前記ソレノイドバルブ６００の端部には、前記移動窓の動きを統制するためのロックピン６１０が備えられる。前記ソレノイドバルブ６００は、前記駆動モータ２００と電気的に連結され、駆動モータの駆動時には前記ロックピン６１０を引き込ませ、停止時には引き出させる。
【００４９】
前記ロックピン固定片７００には、前記ロックピンと対応する形状の、二つまたはそれ以上のロックピン挿入穴７１０が、長手方向に沿って配列形成される。
【００５０】
例えば、二つのロックピン挿入穴７１０が形成されたロックピン固定片７００が、前記固定窓用レール３０と、移動窓用レール４との間の窓枠の底面に設置されていると仮定したならば、使用者が室内の換気のために駆動モータ２００を駆動させると、ロックピンは元の位置に位置するようになり、移動窓１０は駆動ホイール４００を通じて開放される。
【００５１】
前記移動窓１０を所定の間隔だけ開放した後、駆動モータ２００を停止すると、前記ロックピンが、引き出されることで、ロックピン固定片の外面に密着することとなる。この際、前記ロックピン６１０が二つのロックピン挿入穴の間に位置したと仮定したならば、外部から移動窓を強制開放すると、ロックピンが、隣接したロックピン挿入穴の内部に挿入されるのであるから、ロックピンによって、移動窓の動きが遮断される。
【００５２】
本発明は、前記駆動モータと電気的に連結されるコントローラを備え、前記ロックピンを強制的に引き出したり引き込んだりする自動制御が可能となるように構成され得るのであり、必要に応じて、前記ロックピンを手動で施錠したり解錠することができる構成も含み得る。
【００５３】
上記のように構成される本発明は、単純で軽量化されて作動性に優れ、駆動モータの制御を通じて移動窓の開閉が可能なので、使用上の便利さを追求することができ、駆動ホイールとワームホイールとの間に備えられるクラッチを通じて、移動窓を自動または手動で選択的に開閉することができるのであり、ロックピンが備えられるソレノイドバルブとロックピン固定片とを備え、移動窓が開放された状態で外出しても室内を安全に保護することができるので、使用者に外出時の心理的な安定感を与えることができるという長所がある。
【符号の説明】
【００５４】
１  建具(窓、並びに戸)
２  窓枠
３  固定窓用レール
４  移動窓用レール
５  固定窓
１０  移動窓
１１  移動窓フレーム
１２  レール収容凹部
１３  採光窓
１００  ケース
２００  駆動モータ
２１０  回転軸
３００  ワームホイール
３１０  駆動軸
３２０  補助軸
４００  駆動ホイール
４１０  貫通孔
４２０  嵌合穴
５００  クラッチ
５１０  嵌合突起
６００  ソレノイドバルブ
６１０  ロックピン
７００  ロックピン固定片
７１０  ロックピン挿入穴
Ｓ  弾性スプリング
【図１】
0006751484.tif 000002
【図２】
0006751484.tif 000003
【図３】
0006751484.tif 000004
【図４】
0006751484.tif 000005
【図５】
0006751484.tif 000006
【図６】
0006751484.tif 000007